(57)【要約】【課題】  穿刺部の状態が目視で確認することができる保護フィルム付防水シーツを提供する。【解決手段】  一方が穿刺部３の下側を覆うように配設されると共に他方が前記穿刺部３の上側を覆うようにして前記穿刺部３を保護するための防水シーツであって、前記穿刺部３の下側を覆う部分１０の表面側に不織布１２が設けられると共に該不織布１２の裏面側に防水処理が施され、前記穿刺部３の上側を覆う部分２０が透明部材２１で形成されている。【選択図】      図１
2004321781.tif 000002
【特許請求の範囲】
【請求項１】
一方が穿刺部の下側を覆うように配設されると共に他方が前記穿刺部の上側を覆うようにして前記穿刺部を保護するための防水シーツであって、
前記穿刺部の下側を覆う部分の表面側に不織布が設けられると共に該不織布の裏面側に防水処理が施され、前記穿刺部の上側を覆う部分が透明部材で形成されていることを特徴とする保護フィルム付防水シーツ。
【請求項２】
前記穿刺部の上側を覆う部分の一部または全部であって、前記穿刺部を目視することができる部分が透明部材で形成されていることを特徴とする請求項１に記載の保護フィルム付防水シーツ。
【請求項３】
前記穿刺部の下側を覆う部分と前記穿刺部の上側を覆う部分を別個に製作し、それぞれの一端の縁部が互いに固着され、前記穿刺部の下側を覆う部分の前記不織布の上に前記穿刺部の上側を覆う部分が離反可能に重ねられていることを特徴とする請求項１または請求項２に記載の保護フィルム付防水シーツ。
【請求項４】
前記下側を覆う部分と前記上側を覆う部分とが折り畳んで収納することができることを特徴とする請求項１から請求項３のいずれかに記載の保護フィルム付防水シーツ。
【発明の詳細な説明】
【技術分野】
【０００１】
本発明は、人体に針を刺した部分を保護するための保護フィルム付防水シーツに関するものである。
【背景技術】
【０００２】
医師または看護師等の医療従事者が患者に人工透析等の針を留置する必要のある治療または検査を行う場合、図３に示すように、例えば、人体の前腕部に針を刺し、カテーテルを血管内に挿入する。この人体に針を刺した部分５０（以下、穿刺部という）を保護するために、防水シーツ５１が用いられている。
【０００３】
この防水シーツ５１は、図４に示すように、約４０ｃｍ四方の四角形状に形成されている。防水シーツ５１の表面側５１ａには、不織布５２がシーツの全面に亘って設けられており、防水シーツ５１の裏面側であって、この不織布の裏面側５１ｂには、防水処理が施されている。
【０００４】
この防水シーツ５１は、図３に示すように、一辺側の略半分の部分５３（以下、下側部５３という）が、前腕部の下側を覆うように配置されるようになっている。このとき、防水シーツ５１は、不織布５２の面が前腕部に接するように配置されている。さらに、他方の略半分の部分５４（以下、上側部５４という）は、この防水シーツ５１を前腕部に巻き付けるようにしてガーゼ５６が載せられた穿刺部５０の上側を覆うようになっている。
【０００５】
この防水シーツ５１の構造によれば、仮に穿刺部５０から血液または輸液が漏れてきた場合、下側部５３の不織布５２で血液または輸液を吸収することができると共に、この血液または輸液を防水処理部で防水シーツ５１の外側に漏れないようにすることができる。さらに、上側部５４で菌や埃などの飛散物が穿刺部５０に付着することを防止することができる。
【発明の開示】
【発明が解決しようとする課題】
【０００６】
しかしながら、穿刺部５０から血液または輸液が漏れてきた場合には、より好ましくは、漏れている状態が目視で確認することができ、さらにこの状態を早急に処置することが望まれる。従来の防水シーツ５１は、不織布の部分が不透明であるために、穿刺部５１の上側を覆う部分が穿刺部５０を遮蔽してしまう。そのため、穿刺部５０の状態を確認するためには、医師または看護師等の医療従事者が防水シーツ５１の上側部５４を捲らなければならず、確認作業に手間がかかっていた。
【０００７】
本発明はこのような実情に鑑みてなされたものであって、その目的は、防水シーツを捲らなくても、穿刺部の状態が目視で確認することができる保護フィルム付防水シーツを提供することにある。
【課題を解決するための手段】
【０００８】
本発明は、一方が穿刺部の下側を覆うように配設されると共に他方が前記穿刺部の上側を覆うようにして前記穿刺部を保護するための防水シーツであって、前記穿刺部の下側を覆う部分の表面側に不織布が設けられると共に該不織布の裏面側に防水処理が施され、前記穿刺部の上側を覆う部分が透明部材で形成されている。
また、前記穿刺部の上側を覆う部分の一部分であって、前記穿刺部を目視することができる部分が透明部材で形成されているようにすることもできる。
【０００９】
前記穿刺部の下側を覆う部分と前記穿刺部の上側を覆う部分を別個に製作し、それぞれの一端の縁部が互いに固着され、前記穿刺部の下側を覆う部分の前記不織布の上に前記穿刺部の上側を覆う部分が離反可能に重ねられている。
さらに、前記下側を覆う部分と前記上側を覆う部分とが折り畳んで収納することができるようになっている。
【発明の効果】
【００１０】
本発明は、一方が穿刺部の下側を覆うように配設されると共に他方が前記穿刺部の上側を覆うようにして前記穿刺部を保護するための保護フィルム付防水シーツであって、前記穿刺部の下側を覆う部分の表面側に不織布が設けられると共に該不織布の裏面側に防水処理が施され、前記穿刺部の上側を覆う部分が透明部材で形成されているので、穿刺部から漏れてきた血液または輸液を下側の不織布で吸収しかつ防水処理部でシーツの外側に血液または輸液が漏れないようにすることができると共に、穿刺部を透明な部材で保護しかつ透明な部材を介して穿刺部を目視で確認することができる。これにより、医師または看護師等の医療従事者は、上側を覆う防水シーツを捲って穿刺部を確認する作業を軽減することができる。
また、前記穿刺部の上側を覆う部分の一部分であって、前記穿刺部を目視することができる部分が透明部材で形成されているので、シーツの意匠性やシーツの材料取りの問題を考慮して、保護フィルム付防水シーツの形状を自由に決定することができる。
【００１１】
前記穿刺部の下側を覆う部分と前記穿刺部の上側を覆う部分を別個に製作し、それぞれの一端の縁部が互いに固着され、前記穿刺部の下側を覆う部分の前記不織布の上に前記穿刺部の上側を覆う部分が離反可能に重ねられているので、下側を覆う部分と上側を覆う部分を別々に製作し、さらに固着作業も別個に行なえるので、製造工程を容易に調節することができる。
さらに、前記下側を覆う部分と前記上側を覆う部分とが折り畳んで収納することができるようになっているので、販売時の梱包が容易であり、かつ医療現場での保管が嵩張らずに行なうことができる。
【発明を実施するための最良の形態】
【００１２】
以下、本発明に係る保護フィルム付防水シーツの実施の形態について、図１および図２を用いて詳細に説明する。なお、本明細書にて使用しているシーツという用語は、シートと同意語である。
本発明に係る保護フィルム付防水シーツ１の外形は、約４０ｃｍ×２０ｃｍの四角形状に形成されており、従来例で示した保護フィルム付防水シーツの約半分の外形形状となっている。この保護フィルム付防水シーツ１は、図２に示すように、下側部１０と上側部２０とで形成されており、それぞれ同じ外形形状を有している。下側部１０のシーツの上方には、上側部２０のシーツが端部を揃えて重ねられている。
【００１３】
下側部１０は、前腕部の下側に配設されている。下側部１０の表面側１１ａには、その全面に亘って不織布１２が設けられており、この不織布１２が前腕部と接するようになっている。この不織布１２の裏面側１１ｂには、その全面に亘って防水処理が施されている。
上側部２０は、前腕部の上側を覆うようになっている。この上側部２０は、その全面が透明シーツ（透明部材）２１で形成されている。
【００１４】
この下側部１０と上側部２０とは、固着部１３で固着されている。この固着部１３は、前記四角形状の長手方向の一辺の縁部に設けられており、詳細には、不織布１２の面と透明シーツ２１の面との互いに対向する面部が接着剤で固着されている。なお、下側部１０と上側部２０とが接している面であって固着部１３以外の面は、固着されておらず、互いに離反可能になっている。
【００１５】
なお、医療用に使用されている不織布１２は、主に日本バイリーン株式会社から購入することができ、医療用に使用する不織布として通常に販売されているものである。この不織布１２は、適度な可撓性および伸縮性を有しており、折り畳むことができるものが使用されている。また、透明シーツ２１は、薄い透明プラスチックで形成されており、材料としては、ポリプロピレン、ポリエチレンなどの一般に入手することができるものが使用されている。この透明シーツ２１についても折り畳むことができるように適度な可撓性を有するものが使用されている。なお、下側部１０と上側部２０とは、それぞれ異なる材料が使用されているため、別々に製作されることになる。
【００１６】
この保護フィルム付防水シーツ１は、販売時または病院での収納時にコンパクトな形状に折り畳むことができるようになっている。例えば、人工透析用の用品がセット販売されるときに、他の用品と同梱されてもかさばらない形状に自由に折り畳むことができるようになっている。
【００１７】
次に、本発明に係る保護フィルム付防水シーツ１の使用方法について、図１を参照しながら説明する。
保護フィルム付防水シーツ１は、この保護フィルム付防水シーツ１の長手方向が、置かれる前腕部の長さ方向と同じ向きになるように医療用ベッド２の上に置かれる。次に、上側部２０を下側部１０から捲り、この上側部２０と下側部１０との間に前腕部をいれる。
前腕部に針を刺し、人工透析等を行なう。この間、捲られた上側部２０は、ガーゼ４で保護された穿刺部３の上側を覆うように被せられる。医師または看護師等の医療従事者は、ガーゼ４に血液または輸液が染み出していないかを確認し、適宜穿刺部３の状態を目視で確認する。
【００１８】
本発明の実施の形態に係る保護フィルム付防水シーツ１は、上側部２０が透明シーツ２１で形成されているので、医師または看護師等の医療従事者が穿刺部３を目視で確認することができる。そのため、仮に穿刺部３から血液または輸液が漏れていた場合、早期に発見することができると共にそれにより適宜処置を進めることができるようになる。
また、本発明の実施の形態に係る保護フィルム付防水シーツ１は、下側部１０と上側部２０をそれぞれ別々に製作し一端縁部を固着しているので、容易に製作することができる。
さらに、本発明の実施の形態に係る保護フィルム付防水シーツ１は、下側部１０と上側部２０がそれぞれ可撓性および伸縮性のある材料で製作されているので、小さく折り畳むことにより、販売時または収納時にかさばらないようにすることができる。
【００１９】
以上、本発明の実施の形態について述べたが、本発明は既述の実施形態に限定されるものではなく、本発明の技術思想に基づいて各種の変形および変更が可能である。
例えば、上述の実施の形態では、上側部２０の全体を透明シーツ２１で形成したが、穿刺部３の状態を確認することができる部分だけを透明シーツ２１で形成することもできる。これにより、従来技術で説明したように、保護フィルム付防水シーツ１の全体を不織布で構成し、穿刺部３の上を覆う一部分に視認孔を設け、この視認孔の全体を透明シーツ２１で覆うようにすることもできる。
【００２０】
また、上述の実施の形態では、保護フィルム付防水シーツ１を医療用ベッド２の上に置いて、そこに前腕部をのせる場合について説明したが、前腕部を医療用ベッド２から浮かせた状態で人工透析等を行なう場合についても使用することができる。例えば、保護フィルム付防水シーツ１を前腕部に巻き、シーツ１がずれないように固定することにより使用することができる。
【００２１】
また、上述の実施の形態では、不織布１２と透明シーツ２１とを固着するのに接着剤を使用したが、他の固着方法を使用することもできる。例えば、透明シーツ２１を不織布１２にヒートシール（熱溶着）することや、ピン等で両者を接合することもできる。
さらに、保護フィルム付防水シーツ１の形状、大きさおよび使用時の向きなどは、前腕部の上下を覆うことができるものであれば、使用状況にあわせて適宜変更することができる。
【００２２】
さらにまた、保護フィルム付防水シーツ１の使用は、人工透析を行なう場合に限られず、輸血や点滴など穿刺部を保護する必要がある場合に使用することができる。
【図面の簡単な説明】
【００２３】
【図１】本発明の実施の形態に係る保護フィルム付防水シーツを使用した状態を示す斜視図である。
【図２】本発明の実施の形態に係る保護フィルム付防水シーツの単品を示す斜視図である。
【図３】従来の保護フィルム付防水シーツを使用した状態を示す斜視図である。
【図４】従来の保護フィルム付防水シーツの単品を示す斜視図である。
【符号の説明】
【００２４】
１  防水シーツ
２  医療用ベッド
３  穿刺部
４  ガーゼ
１０  下側部
１２  不織布
１３  固着部
２０  上側部
２１  透明シーツ（透明部材）
５０  穿刺部
５１  保護フィルム付防水シーツ
５１ａ  表面側
５１ｂ  裏面側
５２  不織布
５３  下側部
５４  上側部
５６  ガーゼ
【図１】
2004321781.tif 000003
【図２】
2004321781.tif 000004
【図３】
2004321781.tif 000005
【図４】
2004321781.tif 000006